(57)【要約】      （修正有）【課題】外観が大きく損われず、かつ使い勝手に優れると共に、座った際に身体へ加わる負担が軽減される座布団を提供する。【解決手段】座布団１は、前後方向Ｘに並列して設けられた棒状部材１０Ａ〜１０Ｃを複数含む座布団本体と、空気の出し入れが可能であり、座布団本体の下方に設けられた袋体３とを備え、袋体３は、第一空気袋及びこの第一空気袋とチューブコネクタ７によって連結されている第二空気袋８とを有し、第一空気袋及び第二空気袋８に空気が注入されることで、使用者Ｈの足の甲部Ａまたは臀部Ｂに対応する位置に膨らみ部９が形成される。【選択図】図３
0003230901.tif 000002
【実用新案登録請求の範囲】
【請求項１】
前後方向に並列して設けられた棒状部材を複数含む座布団本体と、
前記座布団本体の下方に設けられ、空気の出し入れが可能である袋体と、を備え、
前記袋体は、第一空気袋と、前記第一空気袋と空気通路部材によって連結されている第二空気袋とを有し、
前記第一空気袋及び前記第二空気袋に前記空気が注入されることで、使用者の足の甲部または使用者の臀部に対応する位置に、膨らみ部が形成される、
ことを特徴とする座布団。
【請求項２】
前記座布団本体よりも下方に、メッシュシートが設けられている、
ことを特徴とする請求項１に記載の座布団。
【請求項３】
前記棒状部材は、第一棒状部材と、前記第一棒状部材よりも容積が小さい第二棒状部材と、前記第二棒状部材よりも容積が小さい第三棒状部材と、を有し、
前記第一棒状部材、前記第二棒状部材及び前記第三棒状部材に、内部に空気が含有された粒状のウールが内包されていることで、前記第一棒状部材、前記第二棒状部材及び前記第三棒状部材は弾力性を備え、
前記第二棒状部材が、前記第一棒状部材よりも前方に隣接して設けられ、前記第三棒状部材が、前記第二棒状部材よりも前方に隣接して設けられ、
少なくとも前記第一棒状部材が、前記袋体に対向する位置に設けられることで、前記膨らみ部の高さを確保し、前記使用者の足首の角度を維持しつつ、前記使用者の座位の姿勢が前傾となることで、前記使用者の前記座位の姿勢における自重の加わり方を変えることが可能である、
ことを特徴とする請求項１または請求項２に記載の座布団。
【請求項４】
前記棒状部材の前方にマット部材が設けられている、
ことを特徴とする請求項１または請求項２に記載の座布団。
【請求項５】
前記空気通路部材は、Ｔ字状である、
ことを特徴とする請求項１から請求項４の何れか一項に記載の座布団。
【考案の詳細な説明】
【技術分野】
【０００１】
本考案は、座った際に身体への負担を軽減する座布団に関するものである。
【背景技術】
【０００２】
近年、日本独自の畳文化を体験する外国観光者が増加している。畳文化では、座布団に座ることが多く、普段から座布団に座る生活に慣れていない外国人にとって、慣れない姿勢で座ることは、足や腰に負担がかかる。特に、正座をし続けた場合、足にしびれが生じる。これまでに、正座をした際に、足や腰への負担を極力少なくする座布団が開示されている（例えば、特許文献１及び特許文献２）。
【０００３】
特許文献１には、膝折り正座する場合に、簡単に組み立てることが可能で、かつ、使用者の体型の個人差に応じて、高さが調整可能な膝折り座布団が開示されている。この膝折り座布団は、座布団と、この座布団の上部に固定された尻あて枕とを備えている。尻あて枕は、座布団から取り外し可能な構成となっており、膝折り座布団を使用しない場合、座布団から取り外され、収納される。この膝折り座布団の使用者は、正座する場合に、臀部を尻あて枕の上に置くことで、足に係る荷重が低減され、正座の苦痛を和らげることができる。
【０００４】
特許文献２には、床に正座した時に、足や腰への負担を少なくすることができるウォーター座布団が開示されている。このウォーター座布団は、フレームと、このフレームの内側に、水道水が注入されたマットレスとを備えている。このウォーター座布団の使用者は、正座した場合に、浮力により両足の起状に合わせて、マットレスが変形するため、両足に対する圧力を分散させることできる。そうすると、使用者の毛細血管内の血液の流れが妨げられず、両足にしびれが発生することを軽減できる。
【先行技術文献】
【特許文献】
【０００５】
【特許文献１】特開２０１２−２４９６８８号公報
【特許文献２】特開２０１７−１６４４３６号公報
【考案の概要】
【考案が解決しようとする課題】
【０００６】
特許文献１に記載の膝折り座布団は、座布団の後方かつ上側に尻あて枕を有するため、使用時の座布団の外観が大きく変わり、座布団が有する独特の風情が損なわれる。
一方、特許文献２に記載のウォーター座布団は、水を使用するため、長期間使用すると、マットレスの劣化により、水が漏れ出すおそれがある。また、通常座布団に使用されるクッション材の重量よりも水の重量が極めて大きいため、運搬する際に労力を必要とし、使い勝手が良くない。
【０００７】
そこで、本考案は、外観が大きく損われず、かつ使い勝手に優れると共に、座った際に身体へ加わる負担が軽減される座布団を提供することを目的とする。
【課題を解決するための手段】
【０００８】
本考案に係る座布団は、前後方向に並列して設けられた棒状部材を複数含む座布団本体と、座布団本体の下方に設けられ、空気の出し入れが可能である袋体とを備え、袋体は、第一空気袋と、第一空気袋と空気通路部材によって連結されている第二空気袋とを有し、第一空気袋及び第二空気袋に空気が注入されることで、使用者の足の甲部または臀部に対応する位置に、膨らみ部が形成されることを特徴とする。
【０００９】
本考案に係る座布団は、座布団本体よりも下方に、メッシュシートが設けられていることを特徴とする。
【００１０】
本考案に係る座布団は、棒状部材が、第一棒状部材と、第一棒状部材よりも容積が小さい第二棒状部材と、第二棒状部材よりも容積が小さい第三棒状部材とを有し、第一棒状部材、第二棒状部材及び第三棒状部材に、内部に空気が含有された粒状のウールが内包されていることで、第一棒状部材、第二棒状部材及び第三棒状部材は弾力性を備え、第二棒状部材が、第一棒状部材よりも前方に隣接して設けられ、第三棒状部材が第二棒状部材よりも前方に隣接して設けられ、少なくとも第一棒状部材が、袋体に対向する位置に設けられることで、膨らみ部の高さを確保し、使用者の足首の角度を維持しつつ、使用者の座位の姿勢が前傾となることで、使用者の座位の姿勢における自重の加わり方を変えることを特徴とする。
【００１１】
本考案に係る座布団は、棒状部材の前方にマット部材が設けられていることを特徴とする。
【００１２】
本考案に係る座布団は、空気通路部材がＴ字状であることを特徴とする。
【考案の効果】
【００１３】
本考案に係る座布団は、第一空気袋及び第二空気袋に空気が注入され、使用者の甲部や臀部に対応する位置に膨らみ部が形成される。そうすると、自重により甲部や臀部から加わる圧力は、膨らみ部を介して、第一空気袋及び第二空気袋に分散され、使用者の座骨や尾てい骨の除圧をすることができる。したがって、座った際に、使用者の身体へ加わる負担を軽減することができる。
【００１４】
特に、使用者が正座をする場合、甲部周辺を膨らみ部に沿って、座ることができる。そのため、自重により甲部周辺に加わる圧力は、膨らみ部を介して第一空気袋及び第二空気袋に分散され、足に対する圧迫感が軽減されるため、血流を阻害することなく足のしびれが軽減される。
【図面の簡単な説明】
【００１５】
【図１】本考案の第一実施形態に係る座布団の平面概略図である。
【図２】本考案の第一実施形態に係る座布団の側面概略図である。
【図３】本考案の第一実施形態に係る座布団の使用状態（正座）を示す図である。
【図４】本考案の第二実施形態に係る座布団の平面概略図である。
【図５】本考案の第二実施形態に係る座布団の側面概略図である。
【図６】本考案の座布団のその他の使用状態（胡坐）を示す図である。
【図７】本考案の座布団のその他の使用状態（横すわり）を示す図である。
【考案を実施するための形態】
【００１６】
本実施形態に係る座布団は、使用者の身体に加わる負担を軽減するために使用される。以下、第一実施形態及び第二実施形態では、使用者が正座の姿勢で使用した場合の例、その他の例では、使用者が胡坐の姿勢及び横すわりの姿勢で使用した場合の例について、それぞれ説明する。
【００１７】
［第一実施形態］
本実施形態に係る座布団を、図１から図３を参照し説明する。
なお、図１及び図２の座布団を基準に、前後方向Ｘ、上下方向Ｙ、左右方向Ｚを定義する。
【００１８】
座布団１は、図１及び図２に示すように、複数の棒状部材（支持部材）１０を有する座布団本体２と、この座布団本体２の下方かつ後方に設けられた袋体３と、座布団本体２及び袋体３が収納された座布団カバー４と、座布団本体２よりも下側かつ座布団カバー４の内側に設けられたメッシュシート５とを備えている。
【００１９】
［座布団本体２］
座布団本体２は、クッション性のある素材で構成されている。この座布団本体２は、第一棒状部材１０Ａと、第一棒状部材１０Ａよりも容積の小さい第二棒状部材１０Ｂと、第二棒状部材１０Ｂよりも容積の小さい第三棒状部材１０Ｃとが連結されて構成されている。具体的には、前後方向Ｘの後方から前方にかけて、第三棒状部材１０Ｃ、第一棒状部材１０Ａ、第二棒状部材１０Ｂ、第三棒状部材１０Ｃ、第三棒状部材１０Ｃが、この順で連結されている。後方の第三棒状部材１０Ｃ及び第一棒状部材１０Ａは、袋体３の上に配置されている。
各棒状部材１０は、カバーに粒状のウールが内包されて構成され、その断面は円形状または楕円形状である。棒状部材１０の堅さや断面の形状は、詰め込む粒状のウールの量によって、適宜調整される。この粒状のウールは、化学処理により糸同士が絡み合わないようにフェルト防止されたウールわたを用いて粒状にし、内部に空気を含有させたものである。この特殊素材である粒状のウールが内包されていることで、第一棒状部材１０Ａ、第二棒状部材１０Ｂ、第三棒状部材１０Ｃは、弾力性を備えている。
なお、棒状部材１０同士は、連結して一体として形成されていても、別体として形成されていてもよい。
【００２０】
［袋体３］
袋体３は、弾性体からなり、外部（例えば、手動ポンプ）から空気が注入されることで、所定の大きさまで膨らむ。袋体３は、左右方向Ｚの右方に設けられた第一空気袋６と、この第一空気袋６とＴ字型のチューブコネクタ（空気通路部材）７で連結され、左右方向Ｚの左方に設けられた第二空気袋８とを有する。この袋体３は、面ファスナを介して、メッシュシート５に取付られている。
第一空気袋６は、使用者Ｈが正座したときの右足の甲部Ａ周辺に対応する箇所に配置され、第二空気袋８は、使用者Ｈの左足の甲部Ａ周辺に対応する箇所に配置されている（図３）。第一空気袋６及び第二空気袋８は、上方から座布団本体２（棒状部材１０）、下方からメッシュシート５によって、挟まれている。第一空気袋６と第二空気袋８の形状は、座布団１のサイズに合わせて、正方形状、長方形状等に適宜設計される。
なお、本実施形態において、甲部周辺とは、足の甲部や脛骨部分を含む箇所を意味する。
【００２１】
チューブコネクタ７は、袋体３（第一空気袋６及び第二空気袋８）に注入される空気の通路としての役割を担う。このチューブコネクタ７は、例えば、ポリプロピレンなどのオレフィン系樹脂やほうホウケイ酸ガラスなどから構成されている。
チューブコネクタ７の一端は、座布団１の外側に突出し、その先端には、例えば、手動ポンプ（図示しない）が接続される。座布団１を使用する際には、手動ポンプによって、チューブコネクタ７を介して、第一空気袋６及び第二空気袋８に空気を注入する。チューブコネクタ７の先端は、手動ポンプと接続されていない状態では、座布団カバー４の内側に収納される。
なお、図２は、袋体３に空気が注入されていない状態（以下、不使用状態とも記す。）を示し、不使用状態では、座布団１の上面は、ほぼ平坦である。
【００２２】
座布団カバー４の後方には開口部が形成され、この開口部を介して、座布団本体２や袋体３を座布団カバー４の内部に収納する。収納後、開口部は、ファスナで閉じられる。
メッシュシート５は、座布団本体２とほぼ同じ大きさであり、通気性がよく、適度な弾性を有するものが好ましい。このメッシュシート５には、例えば、ウェーブメッシュシート（ウェーブメッシュ生地）や三次元構造メッシュシートを使用することができる。ウェーブメッシュシートは、例えば、ポリエステル製の繊維で、経糸と緯糸とを絡ませた立体的なウエーブ形状を呈する。
【００２３】
次に、座布団１の使用状態及び作用効果について、説明する。
【００２４】
手動ポンプによって、座布団１の外部から、空気を注入し、第一空気袋６及び第二空気袋８を膨らませる。そうすると、図３に示すように、座布団本体２の後方、具体的には、第一棒状部材１０Ａと第三棒状部材１０Ｃが上下方向Ｙの上方に盛り上がり、膨らみ部９が形成される。使用者Ｈはこの膨らみ部９に足の甲部Ａを載せ、正座する。
【００２５】
足の甲部Ａを膨らみ部９に載せて、正座すると、自重により甲部Ａ周辺や座骨部分に加わる圧力が、膨らみ部９を介して、第一空気袋６や第二空気袋８に分散され、足に生じる圧迫感が軽減される。足に生じる圧迫感が軽減されると、通常の座布団に正座をした場合と比較し、血液の流れが妨げられない。したがって、正座をした際に、足がしびれることを軽減又は回避でき、使用者Ｈの身体へ加わる負担が軽減される。さらに、足がしびれることを軽減できる。
【００２６】
また、本実施形態に係る座布団１は、最も容積の大きい第一棒状部材１０Ａが、袋体３に対向する位置に設けられているため、膨らみ部９の上下方向Ｙの高さを確保することができる。膨らみ部９の高さを確保することで、使用者Ｈが膨らみ部９に足を載せ、座位の姿勢をとったときに、使用者Ｈの足首の角度を維持することができる。足首の角度を維持することで、足首の血流が阻害されることを防止でき、足への負担が軽減される。さらに、使用者Ｈが、足の甲部Ａや臀部Ｂを膨らみ部９に載せて座位の姿勢をとることで、使用者Ｈの座位の姿勢は前傾となるため、使用者Ｈの座位の姿勢における自重の加わり方（自重が加わる部位）を変えることができ、足への負担を軽減できる。
【００２７】
本実施形態に係る座布団１は、空気を注入した後、チューブコネクタ７を座布団カバー４に収納できる。そうすると、座布団１の外観を大きく損なうことがなく、座布団１が有する風情が維持される。さらに、座布団１を構成する座布団本体２、袋体３、メッシュシート５は、軽量であるため、持ち運びが便利であり、使い勝手が良い。
【００２８】
本実施形態に係る座布団１は、第一空気袋６、第二空気袋８に注入する空気量を適宜変更することで、膨らみ部９の膨らみ度合い（膨らみ部９の高さ）が調整できる。そのため、使用者Ｈの体型や好みに応じて、膨らみ度合いを調整し、使用者Ｈが最も楽で安定した状態で正座することができる。
【００２９】
本実施形態に係る座布団１では、第一空気袋６と第二空気袋８はチューブコネクタ７によって連通されている。そのため、例えば、使用者Ｈが右側に体重移動するように動いた場合、第一空気袋６に圧力が加わり、第一空気袋６の内部の空気は、チューブコネクタ７を介して、第二空気袋８の内部に移動する。そうすると、右足に加わる圧力が分散され、右側に体重移動した場合でも、使用者Ｈの身体へ加わる負担が軽減される。
【００３０】
本実施形態に係る座布団１の座布団カバー４の下面の内側に設けられたメッシュシート５は、緩衝材としての役割を担う。メッシュシート５を設けることで、座布団１は、座圧分散性と空気の流れが出来、快適性が高くなり、使用者Ｈは快適に座位をとることができる。
【００３１】
座布団１では、袋体３とチューブコネクタ７以外の部材は、洗濯することができる。そのため、汚れが付いた場合でも、洗濯をすることで、何度でも使用できる。
【００３２】
［第二実施形態］
本実施形態に係る座布団１Ａは、第一実施形態の座布団１と比較して、座布団本体２の構成が異なる。そのため、座布団１と同じ構成には、同符号を付し、説明は省略し、特徴部分を中心に説明する。
【００３３】
本実施形態に係る座布団１Ａでは、図４及び図５に示すように、座布団本体２は、複数の棒状部材（支持部材）２０とマット部材２１とから構成されている。マット部材２１は、棒状部材２０の前方に設けられている。マット部材２１は、長方形状であり、このマット部材２１には、例えば、粒状ウールが詰め込まれた部材やウレタン製のクッションを使用することができる。
【００３４】
一方、棒状部材２０は、座布団本体２の中央から後方部分（少なくとも足の甲部Ａの周辺に対応する位置）に、前後方向Ｘに隣接して５つ（棒状部材２０Ａから棒状部材２０Ｅ）設けられている。棒状部材２０Ｂの容積は、他の棒状部材２０Ａ等の容積よりも大きく、詰め込まれている粒状のウールの量が多く、重量が大きい。
座布団１Ａでは、後方の棒状部材２０Ａから２０Ｄの４つが、袋体３の上に配置されている。
なお、棒状部材２０同士は、連結して一体として形成されていても、別体として形成されていてもよい。
【００３５】
本実施形態に係る座布団１Ａは、正座をした際に足の圧迫感が軽減され、足がしびれることを軽減又は回避できると共に、以下の作用効果を生じる。
【００３６】
本実施形態に係る座布団１Ａの棒状部材２０は、圧力が加わると、甲部Ａの形状に沿って形状が変形するため、座布団１Ａに加わる足からの圧力を効率よく分散することができる。
【００３７】
また、本実施形態に係る座布団１Ａは、座布団本体２がマット部材２１と棒状部材２０で構成されているため、座布団１に比べ、軽量とすることができると共に、丸めて収納しやすい。さらに、座布団１Ａは、正座したときに使用者Ｈの膝が接触する部分にマット部材２１が設けられているため、膝部に対するクッション性が高い。
【００３８】
＜その他の例＞
以上の実施形態では、正座をした際に、身体への負担を軽減する例について説明したが、座布団１，１Ａは、正座以外の姿勢で座る場合でも、使用者Ｈの身体への負担を軽減できる。
【００３９】
例えば、図６に示すように、使用者Ｈが臀部Ｂを膨らみ部９に載せ、胡坐の姿勢で座った場合、臀部Ｂに加わる圧力を、膨らみ部９を介して、袋体３に分散することができる。そうすると、座骨や尾てい骨に加わる圧力を徐圧でき、使用者Ｈの身体へ加わる負担を軽減できる。
【００４０】
さらに、図７に示すように、使用者Ｈが横すわりした場合、足の甲部Ａや臀部Ｂを膨らみ部９に載せ、座ることができる。そうすると、足の甲部Ａや臀部Ｂに加わる圧力を、膨らみ部９を介して、袋体３に分散できる。そのため、この座布団１，１Ａを利用することで、使用者Ｈの身体に加わる座圧を軽減できる。
【００４１】
以上、本実施形態について説明したが、これ以外にも、本考案の主旨を逸脱しない限り、上記実施の形態で挙げた構成を取捨選択したり、他の構成に適宜変更することが可能である。本実施形態では、正座、胡坐、横すわりの姿勢で使用する場合について説明したが、それ以外の長座位、立膝位の姿勢で使用することもできる。
【００４２】
本実施形態では、座布団本体２を上方、メッシュシート５を下方にして使用した例について説明したが、上下反転させて使用することもでき、座布団本体２を下方、メッシュシート５を上方にして、使用した場合でも効果を得ることができる。
【００４３】
また、本実施形態では、袋体３（第一空気袋６、第二空気袋８）を座布団本体２の下方に設けた例について示したが、袋体３を座布団本体２の上方に設けることもできる。
【００４４】
また、第二実施形態や第三実施形態で説明した棒状部材１０，２０の断面は、三角形状、四角形状としてもよく、さらに棒状部材１０，２０の数や大きさも適宜変更できる。さらに、本実施形態では、手動ポンプを使用して、空気を注入する例について説明したが、チューブコネクタ７の端部に空気栓を設けて、口から空気を注入することもできる。なお、手動ポンプには、血圧計の送気球を使用することができる。
【符号の説明】
【００４５】
１，１Ａ  座布団
２      座布団本体
３      袋体
４      座布団カバー
５      メッシュシート
６      第一空気袋
７      チューブコネクタ（空気通路部材）
８      第二空気袋
９      膨らみ部
１０    棒状部材（支持部材）
１０Ａ  第一棒状部材
１０Ｂ  第二棒状部材
１０Ｃ  第三棒状部材
２０    棒状部材（支持部材）
２０Ａ〜２０Ｅ  棒状部材
２１    マット部材
Ａ      甲部
Ｂ      臀部
Ｈ      使用者
Ｘ      前後方向
Ｙ      上下方向
Ｚ      左右方向
【図１】
0003230901.tif 000003
【図２】
0003230901.tif 000004
【図３】
0003230901.tif 000005
【図４】
0003230901.tif 000006
【図５】
0003230901.tif 000007
【図６】
0003230901.tif 000008
【図７】
0003230901.tif 000009